(57)【要約】【課題】  熱による動作の不安定や素子の故障を防止し、且つ、高周波の回り込みによる不具合をなくすことができる受信装置を提供すること。【解決手段】  受信装置の中で最も大きな熱源となるＲＦダウンコンバート部を、カード本体がカードスロット内に収容されたときにカードスロットより外側に露出する外出部に設けたので、カードスロットに蓄積される熱をより小さくすることが可能となり、熱による動作の不安定や素子の故障を防止することが可能となる。また、本発明では、受信装置の中で最も高周波ノイズを拾い易い増幅部を外出部に設けたので、高周波の回り込みによる映像等の乱れや再生不能といった事態を防止することができる。【選択図】  図１
2006245696.tif 000002
【特許請求の範囲】
【請求項１】
パーソナルコンピュータのカードスロットに挿入可能なカード型の受信装置であって、
前記カードスロット内に収容され、少なくともダウンコンバートされたＲＦ信号を復調する復調部及び前記パーソナルコンピュータとの間のインターフェース部を備えたカード本体と、
前記カード本体と一体化され、かつ、前記カード本体が前記カードスロット内に収容されたときに前記カードスロットより外側に露出し、少なくともアンテナ、当該アンテナから入力されたＲＦ信号を増幅する増幅部及び前記増幅されたＲＦ信号を復調部に渡すためにダウンコンバートするＲＦダウンコンバート部を備えた外出部と
を具備することを特徴とする受信装置。
【請求項２】
請求項１に記載の受信装置であって、
前記外出部は、前記カード本体が前記カードスロット内に収容される第１の方向に前記カード本体から延在され、前記ＲＦダウンコンバート部を備える第１のケースと、前記第１のケースにおける前記第１の方向と直交する方向の両側にそれぞれ枢着され、前記アンテナ及び前記増幅器をそれぞれ備えた２つの第２のケースとを有し、
前記アンテナは、前記第２のケースの第１の面に対して指向性を有する平面アンテナであり、
前記第２のケースは、当該第２のケースの折り畳み時には前記第１の面が前記第１のケースの表面と対面し、当該受信装置の使用時には前記第１の面が前記第１のケースの表面とほぼ同一方向を向くように、第１のケースに枢着されている
ことを特徴とする受信装置。
【請求項３】
請求項２に記載の受信装置であって、
前記第１のケースに設けられて当該第１のケースとの間で第１の窓部を有する第１の中空ヒンジこまと前記第２のケースに設けられて当該第２のケースとの間で第２の窓部を有する第２の中空ヒンジこまとが同軸状に設けられ、
前記第２のケースに配置された増幅器と前記第１のケースに設けられたＲＦダウンコンバート部とが、前記第１の窓部、前記第１の中空ヒンジこま、前記第２の中空ヒンジこま及び第２の窓部を通る同軸ケーブルにより接続されている
ことを特徴とする受信装置。
【請求項４】
請求項３に記載の受信装置であって、
前記同軸ケーブルは、前記増幅器から前記ＲＦダウンコンバート部に信号を伝送すると共に、前記第１のケース側から前記増幅器に電力を供給するために用いられる
ことを特徴とする受信装置。
【請求項５】
請求項２に記載の受信装置であって、
前記ＲＦダウンコンバート部を構成する素子における前記第１の面側は、金属製の板状部材により覆われている
ことを特徴とする受信装置。
【請求項６】
請求項２に記載の受信装置であって、
前記各第２のケースには、外部アンテナ接続端子が設けられており、
前記外部アンテナ接続端子に外部アンテナが接続されたとき、当該接続による力によって前記第２のケース内の前記アンテナに代えて前記外部アンテナからの信号が増幅器に入力されるように切り替える切り替え部を有する
ことを特徴とする受信装置。
【発明の詳細な説明】
【技術分野】
【０００１】
本発明は、例えば赤道上空の静止軌道に投入された静止衛星ＳＡＴを利用して配信されるＳバンド衛星ディジタル放送の受信に関連する技術であり、パーソナルコンピュータのカードスロットに挿入可能なカード型の受信装置に関するものである。
【背景技術】
【０００２】
Ｓバンド衛星放送を実施するシステムを開示する文献として特許文献１がある。この特許文献１において、Ｓバンド衛星ディジタル放送用受信端末は、静止衛星から送信され、更に地上（とりわけ、ビルディングの様な高層建築物の屋上）に設置された再生型中継器（ギャップフィラー装置；以下、ＧＦと呼ぶ。）を通してＳバンド信号を受信する。受信端末は、ＲＦ信号を直接受信するアンテナと、ＲＦ信号を復調して映像音声信号にデコードする本体とを有する。受信端末が、デコードされた映像音声信号を受信するためには、専らこれらの受信から画像表示に至る全ての構成要素を１つの装置に積載することが考えられるが、例えばノート型のパーソナルコンピュータのＰＣＭＣＩＡカードスロットに対して挿入可能なカード型の受信装置を用いることでパーソナルコンピュータの表示系や電源系等を代用することができる。加えて、ソフトウエアとの連携によってこれまでにない様々な機能を容易に実現することが可能となる。
【特許文献１】特開平１０−３０８６９５号公報
【発明の開示】
【発明が解決しようとする課題】
【０００３】
しかしながら、上記のようなカードスロットは熱を蓄積しやすいという問題があるにも拘らず、上記のような映像音声信号の処理は連続的に多数のステップを処理し続けるために、この熱によって受信装置やパーソナルコンピュータの動作が不安定になり、或いは搭載する素子に故障を生じる、という問題がある。
【０００４】
また、パーソナルコンピュータから発生する高周波ノイズが受信装置に回り込み、再生された映像や音声に乱れを生じ、或いは再生自体ができなくなる、という問題がある。
【０００５】
本発明は、かかる課題を解決するためになされたもので、熱による動作の不安定や素子の故障を防止し、且つ、高周波の回り込みによる不具合をなくすことができる受信装置を提供することを目的としている。
【課題を解決するための手段】
【０００６】
上記の目的を達成するため、本発明の主たる観点に係る受信装置は、パーソナルコンピュータのカードスロットに挿入可能なカード型の受信装置であって、前記カードスロット内に収容され、少なくともダウンコンバートされたＲＦ信号を復調する復調部及び前記パーソナルコンピュータとの間のインターフェース部を備えたカード本体と、前記カード本体と一体化され、かつ、前記カード本体が前記カードスロット内に収容されたときに前記カードスロットより外側に露出し、少なくともアンテナ、当該アンテナから入力されたＲＦ信号を増幅する増幅部及び前記増幅されたＲＦ信号を復調部に渡すためにダウンコンバートするＲＦダウンコンバート部を備えた外出部とを具備することを特徴とする。
【０００７】
本発明では、受信装置の中で最も大きな熱源となるＲＦダウンコンバート部を、カード本体がカードスロット内に収容されたときにカードスロットより外側に露出する外出部に設けたので、カードスロットに蓄積される熱をより小さくすることが可能となり、熱による動作の不安定や素子の故障を防止することが可能となる。また、本発明では、受信装置の中で最も高周波ノイズを拾い易い増幅部を外出部に設けたので、高周波の回り込みによる映像等の乱れや再生不能といった事態を防止することができる。加えて、本発明では、信号の流れに沿って各構成要素を配置すること（アンテナ→増幅部→ＲＦダウンコンバート部→復調部→インターフェース部）が可能であるので、配線等を非常にシンプルにしつつ本発明の課題を解決することが可能である。
【０００８】
前記外出部は、前記カード本体が前記カードスロット内に収容される第１の方向に前記カード本体から延在され、前記ＲＦダウンコンバート部を備える第１のケースと、前記第１のケースにおける前記第１の方向と直交する方向の両側にそれぞれ枢着され、前記アンテナ及び前記増幅器をそれぞれ備えた２つの第２のケースとを有し、前記アンテナは、前記第２のケースの第１の面に対して指向性を有する平面アンテナであり、前記第２のケースは、当該第２のケースの折り畳み時には前記第１の面が前記第１のケースの表面と対面し、当該受信装置の使用時には前記第１の面が前記第１のケースの表面とほぼ同一方向を向くように、第１のケースに枢着されていることが好ましい形態である。
【０００９】
このように２つのアンテナを用いることで空間ダイバーシティーが可能であり、２つアンテナ間の間隔の調整も容易である。また、第２のケースは、当該第２のケースの折り畳み時には指向性を有する第１の面が第１のケースの表面と対面するので、受信状態が悪くなり、当該受信装置の使用時には指向性を有する第１の面が第１のケースの表面とほぼ同一方向を向くように、第１のケースに枢着されているので、受信状態が良好となる。この結果、使用者は当該受信装置の使用時には第２のケースを折り畳んだ状態ではなく開いて使用するようになり、常に良好な状態での受信が可能となる。加えて、第２のケースを開いた使用状態においては、2つのアンテナ間の間隔を所定以上確保できることになり、空間ダイバーシティーの機能をより効果的に発揮することも可能となる。
【００１０】
前記第１のケースに設けられて当該第１のケースとの間で第１の窓部を有する第１の中空ヒンジこまと前記第２のケースに設けられて当該第２のケースとの間で第２の窓部を有する第２の中空ヒンジこまとが例えば隣接して同軸状に設けられ、前記第２のケースに配置された増幅器と前記第１のケースに設けられたＲＦダウンコンバート部とが、前記第１の窓部、前記第１の中空ヒンジこま、前記第２の中空ヒンジこま及び第２の窓部を通る同軸ケーブルにより接続されていることが好ましい形態である。
【００１１】
同軸ケーブルを用いることで、配線をシンプルにすると共に配線へのノイズの回り込みを極力なくすことができる。そして、増幅器とＲＦダウンコンバート部とを、第１の窓部、第１の中空ヒンジこま、第２の中空ヒンジこま及び第２の窓部を通る同軸ケーブルにより接続することで、第２のケースの開閉による同軸ケーブルの伸張をなくすことができる。
【００１２】
ここで、同軸ケーブルは、前記増幅器から前記ＲＦダウンコンバート部に信号を伝送すると共に、前記第１のケース側から前記増幅器に電力を供給するために用いられるように構成しても構わない。これにより、増幅器への電力供給用の配線を特別に設ける必要はなくなる。
【００１３】
ＲＦダウンコンバート部を構成する素子における前記第１の面側は、例えばグランドに接続された金属製の板状部材により覆われているようにしても構わない。これにより、ＲＦダウンコンバート部から発生する熱をより効果的に放熱することが可能となり、ＲＦダウンコンバート部から発生するノイズが増幅部に回り込むことがなくなる。
【００１４】
前記各第２のケースには、外部アンテナ接続端子が設けられており、前記外部アンテナ接続端子に外部アンテナが接続されたとき、当該接続による力によって前記第２のケース内の前記アンテナに代えて前記外部アンテナからの信号が増幅器に入力されるように切り替える切り替え部を有することが好ましい形態である。
【００１５】
外部アンテナを接続できるように構成することで、アンテナを受信状況の良い環境に独立して設置することが可能となり、また切り替え部を有することで内蔵アンテナと外部アンテナが同時に動作するようなことはなくなる。そして、切り替え部による切り替えを外部アンテナ接続端子に外部アンテナを接続する力によって行うようにすることで、切り替えのための構成を簡単なものとすることができる。
【発明の効果】
【００１６】
本発明によれば、ＲＦダウンコンバート部及び増幅部を、カード本体がカードスロット内に収容されたときにカードスロットより外側に露出する外出部に設けたので、熱による動作の不安定や素子の故障を防止し、且つ、高周波の回り込みによる不具合をなくすことができる。
【発明を実施するための最良の形態】
【００１７】
以下、本発明の実施の形態を図面に基づき詳細に説明する。
（カード型の受信装置の外観構成）
【００１８】
図１は本発明の一実施形態に係るカード型の受信装置の外観を示す斜視図であって、アンテナ収容ケースを折り畳んだ状態を示している。図２は当該カード型の受信装置の外観を示す図であって、アンテナ収容ケースを開いた状態を示している。図３は当該カード型の受信装置がパーソナルコンピュータのＰＣＭＣＩＡカードスロットに挿入された状態を示している。
【００１９】
これらの図に示すように、このカード型の受信装置１０は、パーソナルコンピュータ１のＰＣＭＣＩＡカードスロット２に挿入可能とされている。  
【００２０】
このカード型の受信装置１０は、パーソナルコンピュータ１のＰＣＭＣＩＡカードスロット２内に収容されるカード本体２０と、このカード本体２０と一体化され、かつ、カード本体２０がＰＣＭＣＩＡカードスロット２内に収容されたときに当該カードスロット２より外側に露出する外出部３０とを有する。
【００２１】
カード本体２０は、長方形で金属製の筺体２１と、筺体２１の一辺側（外出部３０がある側とは反対側の辺）に設けられたコネクタ２２とを有する。コネクタ２２は、メス型であり、カード本体２０がＰＣＭＣＩＡカードスロット２内に収容されたときにＰＣＭＣＩＡカードスロット２内の対応する位置に設けられたオス型のコネクタ（図示せず）に接続されるようになっている。なお、カード本体２０の表面には、商品の名称や注意書き等が印刷されたシール（図示せず）が貼られている。
【００２２】
外出部３０は、カード本体２０がＰＣＭＣＩＡカードスロット２内に収容される第１の方向（Ｘ方向）にカード本体２０から延在された第１のケース３１と、第１のケース３１におけるＸ方向と直交する方向（Ｙ方向）の両側の枢着部３２にそれぞれ枢着された２つの第２のケース（アンテナ収容ケース）３３とを有する。第１のケース３１は、例えばカード本体２０より僅かに厚く、且つ、僅かに幅が大きいプラスチック製のケースであり、カード本体２０におけるコネクタ２２が設けられた辺とは反対側の辺に突き出るように設けられている。
【００２３】
第１のケース３１の表面３４のほぼ中央には、Ｘ方向に所定の間隔もって配置され、それぞれＹ方向に延びる２つのゴム製のクッション部材３５が取り付けられている。なお、第１のケース３１の裏面には、商品特定用のバーコードが印刷されたシール（図示せず）が貼られている。
【００２４】
２つの第２のケース３３は、左右対称の形状を有しており、第２のケース３３の折り畳み時には第２のケース３３の表面３６が第１のケース３１の表面３４と対面して第１のケース３１と第２のケース３３とが一体化して形状となり、各第２のケース３３をＹ方向に開いたとき、つまりこの受信装置１０の使用時には２つの第２のケース３３の表面３６が第１のケース３１の表面３４と同じ方向（仰向き）となるように、枢着部３２を介してカード本体２０に枢着されている。
【００２５】
各第２のケース３３の表面３６には、それぞれ十字上の溝３７が設けられている。また、各第２のケース３３の表面３６のＹ方向の外側２箇所には突起部３８が設けられている。この突起部３８は、第２のケース３３の折り畳み時に、第１のケース３１の表面３４に取り付けられたクッション部材３５に当接するようになっている。これにより、第２のケース３３の折り畳み時の機械的ショックが第１のケース３１及び第２のケース３３に極力影響しないようにされている。
【００２６】
各第２のケース３３の第１のケース３１がある側とは反対側の側面には、外部アンテナ接続端子３９が設けられている。外部アンテナ接続端子３９にはゴム製のキャップ４０が取り付けられている。
（カード型の受信装置１０の内部構成）
【００２７】
ここで、このカード型の受信装置１０は、衛星放送を受信して暗号化された映像信号及び／又は音声信号をパーソナルコンピュータ１に伝送するものである。なお、当該衛星放送における放送信号の伝送にはマルチパス環境においても良好な受信が可能なＣＤＭ（Ｃｏｄｅ  Ｄｉｖｉｓｉｏｎ  Ｍｕｌｔｉｐｌｅｘｉｎｇ；符号分割多重）方式を用いることが好ましい態様であるが、他の方式であっても勿論構わない。ＣＤＭ方式は、伝送されるデジタルデータのストリームにおける１シンボル内のマルチパスフェージングによって散乱して受信機に到来した受信信号を複数の相関受信機を用いて分離し、散乱した信号を合成して信号電力を高めて受信するＲＡＫＥ受信を行うことにより、耐マルチパス特性の高い受信が可能となる。
【００２８】
図４はこの実施形態に係るカード型の受信装置１０の内部構成を示すブロック図である。  
【００２９】
図４に示すように、第２のケース３３内には、平面型のパッチアンテナ４１、ＬＮＡ（ローノイズアンプ）４２及びアンテナ切り替え部４３が収容されている。ＬＮＡ４２は、パッチアンテナ４１又は外部アンテナから入力されたＲＦ信号を増幅する増幅器である。アンテナ切り替え部４３は、外部アンテナ接続端子３９に外部アンテナが接続されたとき、当該接続による力によって平面型のパッチアンテナ４１に代えて外部アンテナからの信号がＬＮＡ４２に入力されるように切り替えるものである。外部アンテナが外されたときには、その逆の動作が行われる。
【００３０】
図５に示すように、平面型のパッチアンテナ４１は、第２のケース３３の表面３６側に指向性を有するアンテナである。この平面型のパッチアンテナ４１の裏面に、ＬＮＡ４２及びアンテナ切り替え部４３が配置されている。
【００３１】
第１のケース３１内には、増幅されたＲＦ信号を復調部に渡すためにダウンコンバートするＲＦダウンコンバート部４４が設けられている。
【００３２】
図６に示すように、このＲＦダウンコンバート部４４を構成する素子における第１のケース３１の表面３４側には、グランドに接地された金属製の板状部材４５により覆われているよう。これにより、ＲＦダウンコンバート部４４から発生する熱をより効果的に放熱することが可能となり、ＲＦダウンコンバート部４４から発生するノイズがＬＮＡ４２に回り込むことがなくなる。
【００３３】
カード本体２０内には、ＲＦダウンコンバート部４４によりダウンコンバートされたＲＦ信号を復調する復調部４６、条件付きアクセスまたは限定受信にされている有料放送において受信契約の有無に応じてＲＦ信号の解読を実行するか否かを規制するコンディショナル・アクセス部４７、パーソナルコンピュータ１との間でインターフェースを図ると共にパーソナルコンピュータ１側に送出する復調された信号を暗号化するインターフェース部４８及びコネクタ２２が設けられている。なお、カード本体２０内には、これらの要素の他に、装置全体を包括的に制御するための制御部やＲＡＭ、ＲＯＭ、パーソナルコンピュータ１から供給された電力を各部に供給するための電源部等（以上、図示を省略）を備える。
【００３４】
以上の第１のケース３１内及びカード本体２０内の各構成部品は１枚の共通の基板４９上に実装されている。
【００３５】
なお、暗号化された信号を復号化する処理、復調された信号を復号するデコーダ処理、復号化されたディジタル信号をアナログの音声信号に変換する処理、復号化されたディジタル信号を例えばＮＴＳＣ画像信号に変換する処理等はパーソナルコンピュータ１側のソフトウエアによって行われ、パーソナルコンピュータ１において映像の表示や音声の出力が行われる。
（枢着部３２の詳細）
【００３６】
図７は枢着部３２の構成を示す図である。  
【００３７】
図７に示すように、枢着部３２には、第１のケース３１における第２のケース３３が枢着される辺の方向に沿って、３つの中空のヒンジこま５１、５２、５３が所定の間隔をもって同軸状に配置されている。一方、第２のケース３３にも、上記のヒンジこま５１とヒンジこま５２との間、及び上記のヒンジこま５２とヒンジこま５３との間に、中空のヒンジこま５４、５５がそれぞれ同軸状に配置されている。つまり、５つのヒンジこま５１、５２、５３、５４、５５が同軸状に配置されている。
【００３８】
ヒンジこま５１とこれに隣接するヒンジこま５４との間には、これのヒンジこま５１とヒンジこま５４とを回転可能で且つ回転の際にクリック感をもたせる板ばね部を有するヒンジピン５６により接続されている。同様に、ヒンジこま５３とこれに隣接するヒンジこま５５との間には、これのヒンジこま５３とヒンジこま５５とを回転可能で且つ回転の際にクリック感をもたせる板ばね部を有するヒンジピン５７により接続されている。
【００３９】
ヒンジこま５２は、第１のケース３１との間で第２の窓部５８を有する。また、中空のヒンジこま５４は、第２のケース３３との間で第１の窓部５９を有する。そして、第２のケース３３に配置されたＬＮＡ４２と第１のケースに設けられたＲＦダウンコンバート部４４とが、第１の窓部５９、ヒンジこま５４、ヒンジこま５２及び第２の窓部５８を通る同軸ケーブル６０により接続されている。
【００４０】
同軸ケーブル６０を用いることで、配線をシンプルにすると共に配線へのノイズの回り込みを極力なくすことができる。そして、ＬＮＡ４２とＲＦダウンコンバート部４４とを、第１の窓部５９、ヒンジこま５４、ヒンジこま５２及び第２の窓部５８を通る同軸ケーブル６０により接続することで、第２のケース３３の開閉による同軸ケーブル６０の伸張をなくすことができる。これにより、同軸ケーブル６０の断線不良をなくすことができる。
【００４１】
ここで、同軸ケーブル６０は、ＬＮＡ４２からＲＦダウンコンバート部４４にＲＦ信号を伝送すると共に、第１のケース３１側からＬＮＡ４２に電力を供給するために用いられるように構成しても構わない。これにより、ＬＮＡ４２への電力供給用の配線を特別に設ける必要はなくなる。
（アンテナ切り替え部４３の詳細）
【００４２】
図８はアンテナ切り替え部４３及び外部アンテナ６１の構成を示す図である。  
【００４３】
図８に示すように、外部アンテナ６１は、空間ダイバーシティーに対応するために２つ必要である。外部アンテナ６１は、パッチアンテナ６２とＬＮＡ６３とを備える。ＬＮＡ６３とアンテナ切り替え部４３とは同軸ケーブル６４を介してコネクタ６５により接続されるようになっている。
【００４４】
アンテナ切り替え部４３は、コネクタ６５が挿入されていない状態では接続端子６６に当接する弾性を有する接続端子６７を有する。この状態では、第２のケース３３に配置されたＬＮＡ４２の出力が接続端子６６及び接続端子６７を介してＲＦダウンコンバート部４４に伝送され、逆送によりＬＮＡ４２への電力供給も行われる。
【００４５】
一方、アンテナ切り替え部４３にコネクタ６５が挿入されると、コネクタ６５が接続端子６７に当接すると共に、接続端子６７を接続端子６６から離間させるように変形させる。この状態では、外部アンテナ６１に配置されたＬＮＡ６３の出力がコネクタ６５及び接続端子６７を介してＲＦダウンコンバート部４４に伝送され、逆送によりＬＮＡ６３への電力供給も行われる。
（その他）
【００４６】
なお、本発明は、上記の実施形態に限定されるものではない。
【００４７】
例えば、上記の実施形態では、ＰＣＭＣＩＡカードスロットを用いた場合を例にして説明したが、他のカードスロットであっても勿論構わない。例えば、ＵＳＢケーブル接続部等もカードスロットの範囲である。
【００４８】
その他、本発明はその技術思想の範囲内で様々に変形して実施することが可能である。
【図面の簡単な説明】
【００４９】
【図１】本発明の一実施形態に係るカード型の受信装置の外観を示す斜視図であって、アンテナ収容ケースを折り畳んだ状態を示している。
【図２】一実施形態に係るカード型の受信装置の外観を示す図であって、アンテナ収容ケースを開いた状態を示している。
【図３】一実施形態に係るカード型の受信装置がパーソナルコンピュータのＰＣＭＣＩＡカードスロットに挿入された状態を示している。
【図４】一実施形態に係るカード型の受信装置の内部構成を示すブロック図である。
【図５】一実施形態に係る第２のケースの断面図である。
【図６】一実施形態に係る第１のケースの断面図である。
【図７】一実施形態に係る枢着部の構成を示す図である。
【図８】一実施形態に係るアンテナ切り替え部及び外部アンテナの構成を示す図である。
【符号の説明】
【００５０】
１  パーソナルコンピュータ
２  ＰＣＭＣＩＡカードスロット
１０  カード型の受信装置
２０  カード本体
３０  外出部
３１  第１のケース
３２  枢着部
３３  第２のケース
３９  外部アンテナ接続端子
４１  平面型のパッチアンテナ
４２  ＬＮＡ（ローノイズアンプ）
４３  アンテナ切り替え部
４４  ＲＦダウンコンバート部
４５  金属製の板状部材
４６  復調部
４８  インターフェース部
５１、５２、５３、５４、５５  ヒンジこま
５８  第２の窓部
５９  第１の窓部
６０  同軸ケーブル
【図６】
2006245696.tif 000003
【図１】
2006245696.tif 000004
【図２】
2006245696.tif 000005
【図３】
2006245696.tif 000006
【図４】
2006245696.tif 000007
【図５】
2006245696.tif 000008
【図７】
2006245696.tif 000009
【図８】
2006245696.tif 000010